【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
アニオン性ポリアクリルアミド（ＡＰＡＭ）と高電荷カチオン性グリオキシレート化ポリアクリルアミド（ＧＰＡＭ）とを含有する組成物であって、該高電荷カチオン性グリオキシレート化ポリアミドが０．６ｍｅｑ／ｇ以上のカチオン電荷密度を有することを特徴とする組成物。
【請求項２】
前記アニオン性ポリアクリルアミドが、５００〜６０，０００，０００ダルトンの範囲の分子量を有していることを特徴とする、請求項１に記載の組成物。
【請求項３】
前記高電荷カチオン性グリオキシレート化ポリアクリルアミドのカチオン性ポリアクリルアミド基材高分子が、５００〜１，０００，０００ダルトンの範囲の分子量を有していることを特徴とする、請求項１に記載の組成物。
【請求項４】
前記高電荷カチオン性グリオキシレート化ポリアクリルアミドが、０．６〜５ｍｅｑ／ｇの範囲のカチオン電荷密度を有していることを特徴とする、請求項１に記載の組成物。
【請求項５】
前記ＡＰＡＭに対する前記ＧＰＡＭの割合は、０．０１：１〜１：０．０１の範囲にあることを特徴とする、請求項１に記載の組成物。
【請求項６】
前記高電荷カチオン性グリオキシレート化ポリアクリルアミドがカチオン性モノマーである塩化ジアリルジメチルアンモニウム（ＤＡＤＭＡＣ）を含むことを特徴とする、請求項１に記載の組成物。
【請求項７】
前記高電荷カチオン性グリオキシレート化ポリアクリルアミドが、２−ビニルピリジン、４−ビニルピリジン、２−メチル−５−ビニルピリジン、塩化２−ビニル−Ｎ−メチルピリジニウム、塩化ｐ−ビニルフェニルトリメチルアンモニウム、塩化ｐ−ビニルベンジルトリメチルアンモニウム、２−（ジメチルアミノ）エチルメタクリレート、塩化トリメチル（ｐ−ビニルベンジル）アンモニウム、ｐ−ジメチルアミノエチルスチレン、ジメチルアミノプロピルアクリルアミド、メチル硫酸２−メチルアクロイルオキシエチルトリメチルアンモニウム、塩化３−アクリルアミド−３−メチルブチルトリメチルアンモニウム、２−（ジメチルアミノ）エチルアクリレート、塩化［２−（アクリルアミド）エチル］トリメチルアンモニウム、塩化［２−（メタクリルアミド）エチル］トリメチルアンモニウム、塩化［３−（アクリルアミド）プロピル］トリメチルアンモニウム、塩化［３−（メタクリルアミド）プロピル］トリメチルアンモニウム、Ｎ−メチル−２−ビニルピリジニウム、Ｎ−メチル−４−ビニルピリジニウム、塩化［２−（アクリロイルオキシ）エチル］トリメチルアンモニウム、塩化［２−（メタクリロイルオキシ）エチル］トリメチルアンモニウム、塩化［３−（アクリロイルオキシ）プロピル］トリメチルアンモニウム、塩化［３−（メタクリロイルオキシ）プロピル］トリメチルアンモニウム、及びこれらの組合せから選択されるカチオン性モノマーを含むことを特徴とする、請求項１に記載の組成物。
【請求項８】
前記アニオン性ポリアクリルアミド（ＡＰＡＭ）が、アクリル酸及びその塩、メタクリル酸及びその塩、２−アクリルアミド−２−メチルプロパンスルホン酸（ＡＭＰＳ）、ＡＭＰＳのナトリウム塩、ビニルスルホン酸ナトリウム、スチレンスルホン酸、マレイン酸及びその塩、スルホン酸塩、イタコン酸塩、スルホプロピルアクリレート若しくはメタクリレート、又はこれらの若しくは他の重合可能なカルボン酸若しくはスルホン酸の水に可溶な若しくは分散可能な形態のもの、又はこれらの組合せから選択されるアニオン性モノマーを含むことを特徴とする、請求項１に記載の組成物。
【請求項９】
アニオン性ポリアクリルアミド（ＡＰＡＭ）と高電荷カチオン性グリオキシレート化ポリアクリルアミド（ＧＰＡＭ）とを含有し、該高電荷カチオン性グリオキシレート化ポリアミドが０．６ｍｅｑ／ｇ以上のカチオン電荷密度を有する組成物を、パルプ又は紙に添加することを特徴とする、製紙工程において紙力を増強する方法。
【請求項１０】
前記アニオン性ポリアクリルアミドが、５００〜６０，０００，０００ダルトンの範囲の分子量を有していることを特徴とする、請求項９に記載の方法。
【請求項１１】
前記高電荷カチオン性グリオキシレート化ポリアクリルアミドのカチオン性ポリアクリルアミド基材高分子が、５００〜１，０００，０００ダルトンの範囲の分子量を有していることを特徴とする、請求項９に記載の方法。
【請求項１２】
前記高電荷カチオン性グリオキシレート化ポリアクリルアミドが、０．６〜５ｍｅｑ／ｇの範囲のカチオン電荷密度を有していることを特徴とする、請求項９に記載の方法。
【請求項１３】
前記ＡＰＡＭに対する前記ＧＰＡＭの割合は、０．０１：１〜１：０．０１の範囲にあることを特徴とする、請求項９に記載の方法。
【請求項１４】
前記高電荷カチオン性グリオキシレート化ポリアクリルアミドがカチオン性モノマーである塩化ジアリルジメチルアンモニウム（ＤＡＤＭＡＣ）を含むことを特徴とする、請求項９に記載の方法。
【請求項１５】
前記高電荷カチオン性グリオキシレート化ポリアクリルアミドが、２−ビニルピリジン、４−ビニルピリジン、２−メチル−５−ビニルピリジン、塩化２−ビニル−Ｎ−メチルピリジニウム、塩化ｐ−ビニルフェニルトリメチルアンモニウム、塩化ｐ−ビニルベンジルトリメチルアンモニウム、２−（ジメチルアミノ）エチルメタクリレート、塩化トリメチル（ｐ−ビニルベンジル）アンモニウム、ｐ−ジメチルアミノエチルスチレン、ジメチルアミノプロピルアクリルアミド、メチル硫酸２−メチルアクロイルオキシエチルトリメチルアンモニウム、塩化３−アクリルアミド−３−メチルブチルトリメチルアンモニウム、２−（ジメチルアミノ）エチルアクリレート、塩化［２−（アクリルアミド）エチル］トリメチルアンモニウム、塩化［２−（メタクリルアミド）エチル］トリメチルアンモニウム、塩化［３−（アクリルアミド）プロピル］トリメチルアンモニウム、塩化［３−（メタクリルアミド）プロピル］トリメチルアンモニウム、Ｎ−メチル−２−ビニルピリジニウム、Ｎ−メチル−４−ビニルピリジニウム、塩化［２−（アクリロイルオキシ）エチル］トリメチルアンモニウム、塩化［２−（メタクリロイルオキシ）エチル］トリメチルアンモニウム、塩化［３−（アクリロイルオキシ）プロピル］トリメチルアンモニウム、塩化［３−（メタクリロイルオキシ）プロピル］トリメチルアンモニウム、及びこれらの組合せから選択されるカチオン性モノマーを含むことを特徴とする、請求項９に記載の方法。
【請求項１６】
前記アニオン性ポリアクリルアミド（ＡＰＡＭ）が、アクリル酸及びその塩、メタクリル酸及びその塩、２−アクリルアミド−２−メチルプロパンスルホン酸（ＡＭＰＳ）、ＡＭＰＳのナトリウム塩、ビニルスルホン酸ナトリウム、スチレンスルホン酸、マレイン酸及びその塩、スルホン酸塩、イタコン酸塩、スルホプロピルアクリレート若しくはメタクリレート、又はこれらの若しくは他の重合可能なカルボン酸若しくはスルホン酸の水に可溶な若しくは分散可能な形態のもの、又はこれらの組合せから選択されるアニオン性モノマーを含むことを特徴とする、請求項９に記載の方法。
【請求項１７】
前記組成物を、ｐＨが６．５を超える、又はアルカリ濃度が少なくとも３０ｐｐｍであるパルプ懸濁液に添加することを特徴とする、請求項９に記載の方法。
【請求項１８】
前記組成物が、パルプ叩解の前若しくは後、ファンポンプで、ヘッドボックスの前又はヘッドボックスで、又はスプレー、印刷、塗布若しくは形成されたウェブへの含浸によって前記パルプに添加されることを特徴とする、請求項９に記載の方法。
【請求項１９】
前記組成物が、予備形成された紙又は乾燥枚葉紙に添加されることを特徴とする、請求項９に記載の方法。
【手続補正２】
【補正対象書類名】明細書
【補正対象項目名】００５６
【補正方法】変更
【補正の内容】
【００５６】
次に、本発明を以下の例によって説明する。例においては、塩化ジアリルジメチルアンモニウムがＧＰＡＭ用のカチオンモノマーとして使用され、Ｆｅｎｎｏｂｏｎｄ  ８５がＡＰＡＭとして使用された。例で説明されている一般的概念は、他のタイプのＧＰＡＭとＡＰＡＭにも適用することができる。
以下、本発明の態様を示す。
１．アニオン性ポリアクリルアミド（ＡＰＡＭ）と高電荷カチオン性グリオキシレート化ポリアクリルアミド（ＧＰＡＭ）とを含有する組成物であって、該高電荷カチオン性グリオキシレート化ポリアミドが０．４ｍｅｑ／ｇを超えるカチオン電荷密度を有することを特徴とする組成物。
２．前記アニオン性ポリアクリルアミドが、１０００〜１，０００，０００ダルトンの範囲などの、５００〜６０，０００，０００ダルトンの範囲の分子量を有していることを特徴とする、上記１に記載の組成物。
３．前記高電荷カチオン性グリオキシレート化ポリアクリルアミドのカチオン性ポリアクリルアミド基材高分子が、１０００〜１００，０００ダルトンの範囲などの、５００〜１，０００，０００ダルトンの範囲の分子量を有していることを特徴とする、上記１に記載の組成物。
４．前記高電荷カチオン性グリオキシレート化ポリアクリルアミドが、０．６〜４．０ｍｅｑ／ｇの範囲などの、０．４〜５ｍｅｑ／ｇの範囲のカチオン電荷密度を有していることを特徴とする、上記１に記載の組成物。
５．前記ＡＰＡＭに対する前記ＧＰＡＭの割合は、０．０１：１〜１：０．１の範囲などの、０．０１：１〜１：０．１の範囲にあることを特徴とする、上記１に記載の組成物。
６．前記高電荷カチオン性グリオキシレート化ポリアクリルアミドがカチオン性モノマーである塩化ジアリルジメチルアンモニウム（ＤＡＤＭＡＣ）を含むことを特徴とする、上記１に記載の組成物。
７．前記高電荷カチオン性グリオキシレート化ポリアクリルアミドが、２−ビニルピリジン、４−ビニルピリジン、２−メチル−５−ビニルピリジン、塩化２−ビニル−Ｎ−メチルピリジニウム、塩化ｐ−ビニルフェニルトリメチルアンモニウム、塩化ｐ−ビニルベンジルトリメチルアンモニウム、２−（ジメチルアミノ）エチルメタクリレート、塩化トリメチル（ｐ−ビニルベンジル）アンモニウム、ｐ−ジメチルアミノエチルスチレン、ジメチルアミノプロピルアクリルアミド、メチル硫酸２−メチルアクロイルオキシエチルトリメチルアンモニウム、塩化３−アクリルアミド−３−メチルブチルトリメチルアンモニウム、２−（ジメチルアミノ）エチルアクリレート、塩化［２−（アクリルアミド）エチル］トリメチルアンモニウム、塩化［２−（メタクリルアミド）エチル］トリメチルアンモニウム、塩化［３−（アクリルアミド）プロピル］トリメチルアンモニウム、塩化［３−（メタクリルアミド）プロピル］トリメチルアンモニウム、Ｎ−メチル−２−ビニルピリジニウム、Ｎ−メチル−４−ビニルピリジニウム、塩化［２−（アクリロイルオキシ）エチル］トリメチルアンモニウム、塩化［２−（メタクリロイルオキシ）エチル］トリメチルアンモニウム、塩化［３−（アクリロイルオキシ）プロピル］トリメチルアンモニウム、塩化［３−（メタクリロイルオキシ）プロピル］トリメチルアンモニウム、及びこれらの組合せから選択されるカチオン性モノマーを含むことを特徴とする、上記１に記載の組成物。
８．前記アニオン性ポリアクリルアミド（ＡＰＡＭ）が、アクリル酸並びにアクリル酸ナトリウム及びアクリル酸アンモニウム等の塩、メタクリル酸並びにメタクリル酸ナトリウム及びメタクリル酸アンモニウム等の塩、２−アクリルアミド−２−メチルプロパンスルホン酸（ＡＭＰＳ）、ＡＭＰＳのナトリウム塩、ビニルスルホン酸ナトリウム、スチレンスルホン酸、マレイン酸並びにそのナトリウム塩及びアンモニウム塩等の塩、スルホン酸塩、イタコン酸塩、スルホプロピルアクリレート若しくはメタクリレート、又はこれらの若しくは他の重合可能なカルボン酸若しくはスルホン酸の水に可溶な若しくは分散可能な形態のもの、又はこれらの組合せから選択されるアニオン性モノマーを含むことを特徴とする、上記１に記載の組成物。
９．アニオン性ポリアクリルアミド（ＡＰＡＭ）と高電荷カチオン性グリオキシレート化ポリアクリルアミド（ＧＰＡＭ）とを含有し、該高電荷カチオン性グリオキシレート化ポリアミドが０．４ｍｅｑ／ｇを超えるカチオン電荷密度を有する組成物をパルプ又は紙に添加することを特徴とする、製紙工程において紙力を増強する方法。
１０．前記アニオン性ポリアクリルアミドが、１０００〜１，０００，０００ダルトンの範囲などの、５００〜６０，０００，０００ダルトンの範囲の分子量を有していることを特徴とする、上記９に記載の方法。
１１．前記高電荷カチオン性グリオキシレート化ポリアクリルアミドのカチオン性ポリアクリルアミド基材高分子が、１０００〜１００，０００ダルトンの範囲などの、５００〜１，０００，０００ダルトンの範囲の分子量を有していることを特徴とする、上記９に記載の方法。
１２．前記高電荷カチオン性グリオキシレート化ポリアクリルアミドが、０．６〜４．０ｍｅｑ／ｇの範囲などの、０．４〜５ｍｅｑ／ｇの範囲のカチオン電荷密度を有していることを特徴とする、上記９に記載の方法。
１３．前記ＡＰＡＭに対する前記ＧＰＡＭの割合は、０．０１：１〜１：０．１の範囲などの、０．０１：１〜１：０．１の範囲にあることを特徴とする、上記９に記載の方法。
１４．前記高電荷カチオン性グリオキシレート化ポリアクリルアミドがカチオン性モノマーである塩化ジアリルジメチルアンモニウム（ＤＡＤＭＡＣ）を含むことを特徴とする、上記９に記載の方法。
１５．前記高電荷カチオン性グリオキシレート化ポリアクリルアミドが、２−ビニルピリジン、４−ビニルピリジン、２−メチル−５−ビニルピリジン、塩化２−ビニル−Ｎ−メチルピリジニウム、塩化ｐ−ビニルフェニルトリメチルアンモニウム、塩化ｐ−ビニルベンジルトリメチルアンモニウム、２−（ジメチルアミノ）エチルメタクリレート、塩化トリメチル（ｐ−ビニルベンジル）アンモニウム、ｐ−ジメチルアミノエチルスチレン、ジメチルアミノプロピルアクリルアミド、メチル硫酸２−メチルアクロイルオキシエチルトリメチルアンモニウム、塩化３−アクリルアミド−３−メチルブチルトリメチルアンモニウム、２−（ジメチルアミノ）エチルアクリレート、塩化［２−（アクリルアミド）エチル］トリメチルアンモニウム、塩化［２−（メタクリルアミド）エチル］トリメチルアンモニウム、塩化［３−（アクリルアミド）プロピル］トリメチルアンモニウム、塩化［３−（メタクリルアミド）プロピル］トリメチルアンモニウム、Ｎ−メチル−２−ビニルピリジニウム、Ｎ−メチル−４−ビニルピリジニウム、塩化［２−（アクリロイルオキシ）エチル］トリメチルアンモニウム、塩化［２−（メタクリロイルオキシ）エチル］トリメチルアンモニウム、塩化［３−（アクリロイルオキシ）プロピル］トリメチルアンモニウム、塩化［３−（メタクリロイルオキシ）プロピル］トリメチルアンモニウム、及びこれらの組合せから選択されるカチオン性モノマーを含むことを特徴とする、上記９に記載の方法。
１６．前記アニオン性ポリアクリルアミド（ＡＰＡＭ）が、アクリル酸並びにアクリル酸ナトリウム及びアクリル酸アンモニウム等の塩、メタクリル酸並びにメタクリル酸ナトリウム及びメタクリル酸アンモニウム等の塩、２−アクリルアミド−２−メチルプロパンスルホン酸（ＡＭＰＳ）、ＡＭＰＳのナトリウム塩、ビニルスルホン酸ナトリウム、スチレンスルホン酸、マレイン酸並びにそのナトリウム塩及びアンモニウム塩等の塩、スルホン酸塩、イタコン酸塩、スルホプロピルアクリレート若しくはメタクリレート、又はこれらの若しくは他の重合可能なカルボン酸若しくはスルホン酸の水に可溶な若しくは分散可能な形態のもの、又はこれらの組合せから選択されるアニオン性モノマーを含むことを特徴とする、上記９に記載の方法。
１７．前記組成物をパルプ懸濁液に添加し、該パルプを紙に形成することを特徴とする、上記９に記載の方法。
１８．前記組成物を、ｐＨが６．５を超える、又はアルカリ濃度が少なくとも３０ｐｐｍであるパルプ懸濁液に添加することを特徴とする、上記９に記載の方法。
１９．前記組成物が、パルプ叩解の前若しくは後、ファンポンプで、ヘッドボックスの前又はヘッドボックスで、又はスプレー、印刷、塗布若しくは形成されたウェブへの含浸によってパルプに添加されることを特徴とする、上記９に記載の方法。
２０．前記組成物が、予備形成された紙又は乾燥枚葉紙に添加されることを特徴とする、上記９に記載の方法。
２１．上記９に記載の方法で得られた紙又はパルプ製品。